(57)【特許請求の範囲】
【請求項１】
中央湾曲部と、この中央湾曲部から一方の端部間に連続して、逆向きに端寄り湾曲部を有する瓦の複数枚を、端寄り湾曲部側を上にして交互に向きを変えて直列状に並べ、隣り合う２枚の瓦の端寄り湾曲部の凸面側を接合させて２枚組瓦を組み、該２枚組瓦の下端部を、所定寸法を離間させて隣り合う瓦の下端部に接合させ、各２枚組瓦の接合上端部を上位保持部材で保持するとともに、各瓦の下端部を下位保持部材で保持したことを特徴とする培養魚礁ユニット。
【請求項２】
上位保持部材が帯状部材からなり、上位保持部材に等間隔に設けた切込み凹部に、各２枚組瓦の接合上端部を嵌合させて保持することを特徴とする請求項１記載の培養魚礁ユニット。
【請求項３】
下位保持部材が対向的に配した左右一対のＬ型鋼材からなり、鋼材の直交する２つの板部間に、各瓦の下端部両側隅角部を嵌合させて保持することを特徴とする請求項１記載の培養魚礁ユニット。
【請求項４】
上位保持部材及び下位保持部材を、台座上に設けた枠体に組み付けたことを特徴とする請求項１記載の培養魚礁ユニット。
【発明の詳細な説明】
【０００１】
【発明の属する技術分野】
本発明は、海底に沈設して主に小型餌生物の培養に用いる培養魚礁ユニットに関するものである。
【０００２】
【従来の技術】
従来より、栽培漁業の一貫として魚の餌になる小蟹、小蝦などの甲殻類、小型貝類、ゴカイなどの多毛類、小型魚類あるいは付着硅藻などの餌生物の培養を図るための培養魚礁として、先に本出願人によって実公平４−２７３３３号公報に記載の培養魚礁を提供している。
【０００３】
この培養魚礁は、台座上に設けた枠体内に多数の素焼波板を立位に交互に向きを変えて接触状態に並設して素焼波板群を形成し、各素焼波板間に横向きに開口する隙間を形成したもので、硅藻類、珊瑚類および小型貝類の付着餌生物は素焼波板の隙間で波板面に生育し、小さな隙間を好み、礁内外を移動する甲殻類および小型魚類などの移動生物は、各素焼波板間に生じる縦長断面形状の隙間内を住処として生育し、培養魚礁として蝟集効果を高めるものである。
【０００４】
また、コンクリートや鋼材等によって人工的に構築された大型の人工魚礁内に組み付けて稚魚の保護及び飼料培養を図る目的で、前記素焼波板群をユニット化した培養魚礁ユニットや、貝殻又は小石類を粗目の筒状金網体内に充填した培養魚礁ユニット等も提案されている。
【０００５】
このような培養魚礁ユニットで、貝殻又は小石類からなるものは、素焼波板群からなる培養魚礁ユニットに比べてユニット内の空隙率が小さくなるので、生育生物としては、素焼波板群からなるものに比べて小さいものを対象にしている。
【０００６】
【発明が解決しようとする課題】
ところで、前記する素焼波板群からなる培養魚礁ユニットを構成する素焼波板は、同じ曲率で向きを変えて２つの湾曲部を形成しているので、形態的には、汎用の屋根葺きに使用する瓦（以下、瓦という。）と似たところがある。そこで、素焼波板に代えて瓦を使用しても同じような培養魚礁ユニットを構成することができる。
【０００７】
すなわち、瓦は、図５に示すように、曲率の大きな中央湾曲部２と、この中央湾曲部２から一方の端部４間に連続して、逆向きに曲率の小さな端寄り湾曲部３を形成しているので、この瓦１の複数枚を、図６に示すように、素焼波板同様に、立位に交互に向きを変えて直列状に並べて瓦群ａを形成して培養魚礁ユニットＡを構成することができる。
【０００８】
この場合、瓦群ａを形成して隣り合う瓦１は、互いに中央湾曲部２と端寄り湾曲部３の凸面側で瓦面が２個所で接触し、また、隣り合う瓦１の中央湾曲部２の凹面側が対向して両瓦１の下端部５が接合し、隣り合う瓦１間には、中央湾曲部２の凹面側が対向して形成される縦長の隙間１ａと、中央湾曲部の凸面側で、凸面が接触して上下に分断された２つの隙間１ｂ、１ｃが形成される。
【０００９】
これらの隙間１ａ、１ｂ、１ｃは、素焼波板群における各素焼波板間に形成される隙間とは、形態的な相違はあるものの、空隙率はほぼ同じ程度になるので、瓦群ａからなる培養魚礁ユニットＡの対象生育生物としても、素焼波板群からなるものと、ほぼ同じ大きさ程度のものが対象になる。
【００１０】
また、当然のことながら、隣り合う瓦１同士が、中央湾曲部２と端寄り湾曲部３の凸面側で瓦面が２個所で接触する瓦の並べ方からすれば、ユニット内の空隙率を変更することはできないものである。
【００１１】
ところが、実際的な培養魚礁ユニットの設置に当たっては、ユニット内の空隙率を、前記するような従来の素焼波板群又は瓦群からなる培養魚礁ユニットよりも大きくし、対象生育生物の大きさを一回り大きくできるような多様性が求められる。
【００１２】
そこで、本発明は、素焼波板にはない瓦特有の形態を有効利用し、ユニット内の空隙率の変更を可能にし、多様性が発揮できる培養魚礁ユニットを提供することを目的としたものである。
【００１３】
【課題を解決するための手段】
上記の目的を達成するための本発明の培養魚礁は、中央湾曲部と、この中央湾曲部から一方の端部間に連続して、逆向きに端寄り湾曲部を有する瓦の複数枚を、端寄り湾曲部側を上にして交互に向きを変えて直列状に並べ、隣り合う２枚の瓦の端寄り湾曲部の凸面側を接合させて２枚組瓦を組み、該２枚組瓦の下端部を、所定寸法を離間させて隣り合う瓦の下端部に接合させ、各２枚組瓦の接合上端部を上位保持部材で保持するとともに、各瓦の下端部を下位保持部材で保持したことを特徴とする。
【００１４】
このように構成された本発明に係る培養魚礁ユニットによれば、隣り合う瓦同士で、瓦面の中間部での接触はなく、隣り合う瓦間には、形態と断面積が大きく異なる比較的断面積の大きな２つの隙間が形成されるので、中間部に接触のない瓦面を有効利用して瓦面に生育する硅藻類、珊瑚類及び小型貝類の付着餌生物の増加が図られるとともに、２つの隙間には、その断面積に対応して比較的大きめの甲殻類および小型魚類などの移動生物の寄りつきを良くし、ここを安息可能な棲息域にして移動生物の効果的な生育が図られて、培養魚礁として蝟集効果を高める。
【００１５】
また、２枚組瓦の下端部間の離間距離を変更することで、隣り合う瓦間に形成される隙間の断面積を変更かることができるので、ユニット内の空隙率の変更が可能となって培養魚礁ユニットとして多様性が発揮される。
【００１６】
本発明においては、培養魚礁ユニットを構成する上位保持部材と下部保持部材は、使用される瓦の枚数とユニット内の空隙率を配慮して寸法が決められ、予め用意される。
【００１７】
ここで、上位保持部材が帯状部材からなり、上位保持部材に等間隔に設けた切込み凹部に、各２枚組瓦の接合上端部を嵌合させて保持し、また、下位保持部材が対向的に配した左右一対のＬ型鋼材からなり、鋼材の直交する２つの板部間に、各瓦の下端部両側隅角部を嵌合させて保持するように構成すると、瓦群の組み立ては、先ず、対向的に配した下部支持部材の一方の端部から、各瓦を交互に向きを変えて直列状に並べながら２枚組瓦を組んで各瓦の下端部を保持させ、他方の端部まで並び終えたところで、上位保持部材を各２枚組瓦の上部中央に配し、各２枚組瓦の接合上端部をそれぞれに切込み凹部に嵌合させて保持すればよい。従って、本発明に係る培養魚礁ユニットは、誰でも簡単確実に組み立てることができる。
【００１８】
また、本発明に係る培養魚礁ユニットは、汎用の大型人工魚礁を外礁体にして、この中に組み合わせることも可能であるが、直接的に使用する培養魚礁としては、上位保持部材及び下位保持部材を、台座上に設けた枠体に組み付ける。
【００１９】
この場合、台座上に設けた共通の枠体に対し、横位置又は縦位置に複数個の培養魚礁ユニットを隣接して設けることにより、培養魚礁を大型化することができる。
【００２０】
【発明の実施の形態】
以下、本発明の実施の形態を図面に基づいて説明する。
【００２１】
図１は本発明に係る培養魚礁ユニットの一部を欠除した正面図、図２は平面図である。
【００２２】
なお、以下の説明において、図５と共通もしくは対等な部分については、同一符号を付けて説明する。
【００２３】
図１、２において、培養魚礁ユニットＡは、複数枚の瓦１を直列状に並べて形成した瓦群ｂと、この瓦群ｂの上部を保持する上位保持部材６と、下部を保持する下位保持部材７を主要構成としている。
【００２４】
瓦群ｂを形成する瓦１は、中央湾曲部２と、この中央湾曲部２から一方の端部間に連続して、逆向きに端寄り湾曲部３を有するもので、瓦１自体は、一般の屋根葺きに使用される大量生産される瓦に加工等を加えることなくそのまま使用される。
【００２５】
なお、大量生産される屋根瓦は、外観的な破損はなくとも、焼成後のテストにおいて規格に適合しないものは、不合格品として廃棄されるものも多いので、本発明では、このような屋根瓦の生産時にでてくる外観的な破損がなくて不合格とされる瓦を使用し、資源の有効利用が図られる。
【００２６】
本発明における瓦群ｂは、複数枚の瓦１の端寄り湾曲部３側を上にして交互に向きを変えて直列状に並べる過程で、隣り合う２枚の瓦１の端寄り湾曲部３の凸面側を接合させて２枚組の瓦を組み、この２枚組瓦の下端部５を所定寸法を離間させて隣り合う瓦１の下端部５に接合させている。
【００２７】
また、各２枚組瓦の接合上端部４を保持する上位保持部材６は、帯状部材からなり、この上位保持部材６には、等間隔に切込み凹部８が設けられ、各２枚組瓦の接合上端部４を対応する切込み凹部８にそれぞれに嵌合させて保持している。
【００２８】
また、瓦群ｂを形成する全ての瓦１の下端部５を保持する下部保持部材７は、Ｌ型鋼材からなり、左右一対の下位保持部材７を対向的に配し、鋼材の直交する２つの縦板部７ａ及び横板部７ｂ間に全ての瓦１の下端部両側隅角部を嵌合させて保持している。
【００２９】
上記のように構成した本発明に係る培養魚礁ユニットＡでは、各２枚組瓦の接合上端部４を、上位保持部材６に設けた共通の切込み凹部８にそれぞれ嵌合させて保持し、また、２枚組瓦の下端部５は、所定寸法を離間させて隣り合う瓦１の下端部に接合させ、全ての瓦１の下端部両側隅角部を左右一対の下位保持部材７を構成する鋼材の直交する２つの縦板部７ａ及び横板部７ｂ間に嵌合させて保持するので、隣り合う瓦１同士では、瓦面の中間部における接触がなく、各瓦１の上下両端部４，５は、瓦１が並ぶ方向にずれて傾斜状に保持されるので、隣り合う瓦１間には、形態と断面積が大きく異なる比較的断面積の大きな２つの隙間１ｄ，１ｅが形成される。
【００３０】
従って、上位保持部材６に設ける切込み凹部８の間隔を変更し、各２枚組瓦の下端部の間隔を変えることによって、図３（ａ）、（ｂ）、（ｃ）に示すように、隣り合う各２枚組瓦の組み合わせピッチＷ1、Ｗ2、Ｗ3が変更できてユニット内の空隙率を変更することができる。
【００３１】
また、本発明における瓦群ｂからなる培養魚礁ユニットＡの具体的な使用例として、実施の形態では、図４に示すように、複数個の培養魚礁ユニットＡを台座９上に設けた枠体１０に取り付けて培養魚礁を構成している。
【００３２】
このような培養魚礁を海底に設置すると、瓦群ｂを形成する各瓦１の瓦面を有効利用して瓦面に生育する硅藻類、珊瑚類及び小型貝類の付着餌生物の増加が図られる。また、隣り合う瓦１間に形成される大きめの２つの隙間１ｄ，１ｅには、これらの隙間１ｄ，１ｅの断面積に対応して比較的大きめの甲殻類および小型魚類などの移動生物の効果的な生育が図られ、培養魚礁として蝟集効果を高める。
【００３３】
【発明の効果】
上記構成からなる本発明によれば、複数枚の瓦を直列状に並べて瓦群を形成するに当たって、隣り合う瓦同士で、瓦面の中間部での接触をなくしたので、ユニット内の空隙率の変更が可能となり、瓦面を有効利用して瓦面に生育する硅藻類、珊瑚類及び小型貝類の付着餌生物の増加が図られる。また、隣り合う瓦間に形成する隙間を、従来よりは一回り大きくし、隙間の断面積の変更も可能にしたので、隙間の断面積に対応して比較的大きめの甲殻類および小型魚類などの移動生物の効果的な生育が図られて蝟集効果を高め、多様性を発揮する培養魚礁が提供できる。
【図面の簡単な説明】
【図１】  本発明に係る培養魚礁ユニットの一部を欠除した正面図である。
【図２】  図１における培養魚礁ユニットの平面図である。
【図３】  （ａ）、（ｂ）、（ｃ）は隣り合う瓦間に形成される隙間の断面積の変更を説明するための培養魚礁ユニットの一部正面図である。
【図４】  培養魚礁ユニットを適用した培養魚礁の斜視図である。
【図５】  培養魚礁ユニットの構成に使用される瓦の斜視図である。
【図６】  瓦群からなる従来の培養魚礁ユニットの一部正面図である。
【符号の説明】
１  瓦
１ａ  隙間
１ｂ  隙間
１ｃ  隙間
１ｄ  隙間
１ｅ  隙間
２  中央湾曲部
３  端寄り湾曲部
４  上端部
５  下端部
６  上位保持部材
７  下位保持部材
７ａ  縦板部
７ｂ  横板部
８  切り込み凹部
９  台座
１０  枠体
ａ  瓦群
ｂ  瓦群
Ａ  培養魚礁ユニット
【図１】
0003656064.tif 000002
【図２】
0003656064.tif 000003
【図３】
0003656064.tif 000004
【図４】
0003656064.tif 000005
【図５】
0003656064.tif 000006
【図６】
0003656064.tif 000007